(57)【特許請求の範囲】
【請求項１】
外部からのリモコン信号を受信するリモコン信号受信部と、
外部表示装置と通信し、画像データを送信する画像データ送信部と、
前記リモコン信号受信部によるリモコン信号の受信が可能なリモコン受信待機モードと、前記リモコン信号受信部によるリモコン信号の受信を行わないリモコン受信非待機モードと、を切り替えるリモコン待機モード切り替え部とを有し、
前記リモコン待機モード切り替え部は、前記外部表示装置と通信可能に接続されていることを検出すると、前記リモコン受信待機モードに切り替えることを特徴とする撮影装置。
【請求項２】
請求項１に記載の撮影装置において、
前記画像データ送信部は、前記外部表示装置と通信ケーブルにて電気的に接続可能で、当該通信ケーブルを介して画像データを外部表示装置へ送信することを特徴とする撮影装置。
【請求項３】
請求項１〜２のいずれかに記載されている撮影装置はさらに、
前記リモコン受信待機モードに設定が行われてから、または、前記リモコン信号受信部によりリモコン信号を受信してから次にリモコン信号を受信するまでの時間を測定する待機時間測定部を有し、
前記リモコン待機モード切り替え部は、前記リモコン受信待機モードにおいて、前記待機時間測定部により所定時間が測定されると、
前記リモコン受信非待機モードへ切り替えることを特徴とする撮影装置。
【請求項４】
請求項３に記載されている撮影装置において、
前記待機時間測定部は、リモコン信号の受信によって開始された処理が終了してから前記所定時間の測定を開始することを特徴とする撮影装置。
【請求項５】
請求項１〜４のいずれかに記載の撮影装置はさらに、
前記リモコン受信待機モードは、前記リモコン信号受信部によるリモコン信号の受信を行い、当該受信したリモコン信号に応じて画像撮影処理を実行するリモコン撮影モードと、前記リモコン信号受信部によるリモコン信号の受信を行い当該受信したリモコン信号に応じて画像再生処理を実行するリモコン再生モードとを有し、
前記リモコン待機モード切り替え部は、リモコン撮影モードとリモコン再生モードと前記リモコン信号受信部によるリモコン信号の受信を行わないリモコン受信非待機モードとを切り替え、
前記リモコン待機モード切り替え部は、前記外部表示装置と通信ケーブルによって接続されていることを検出すると、前記リモコン再生モードに切り替えることを特徴とする撮影装置。
【請求項６】
請求項５に記載されている撮影装置はさらに、
記録媒体を装着する記録媒体装着部と、
前記撮影装置に対して光学ユニットを着脱できる光学ユニット着脱部と、
を有しており、
前記リモコン待機モード切り替え部は、前記光学ユニットが前記光学ユニット着脱部に装着されていないことを検出し、かつ、前記記録媒体に再生可能な画像データが記録されている場合には、前記外部表示装置と通信ケーブルによって接続されていることを検出すると、前記リモコン再生モードに設定し、前記記録媒体に前記再生可能な画像データが記録されていない場合には、前記リモコン受信非待機モードに設定し、
前記光学ユニットが前記光学ユニット着脱部に装着されていることを検出すると、
前記リモコン撮影モードに切り替えることを特徴とする撮影装置。
【請求項７】
請求項５に記載されている撮影装置はさらに、
記録媒体を装着する記録媒体装着部と、
被写体の光量を測定する測光部と、
を有しており、
前記リモコン待機モード切り替え部は、前記測光部で測定された光量が所定値未満であると検出し、かつ、前記記録媒体に再生可能な画像データが記録されている場合には、前記外部表示装置と通信ケーブルによって接続されていることを検出すると、前記リモコン再生モードに設定し、前記記録媒体に前記再生可能な画像データが記録されていない場合には、前記リモコン受信非待機モードに設定し、
前記測光部で測定された光量が所定値以上であると検出すると、前記リモコン撮影モードに切り替えることを特徴とする撮影装置。
【請求項８】
請求項５に記載されている撮影装置はさらに、
記録媒体を装着する記録媒体装着部と、
を有しており、
前記リモコン待機モード切り替え部が、前記記録媒体の記録残容量が所定値未満であると検出し、かつ、前記記録媒体に再生可能な画像データが記録されている場合には、前記外部表示装置と通信ケーブルによって接続されていることを検出すると、前記リモコン再生モードに設定し、前記記録媒体に前記再生可能な画像データが記録されていない場合には、前記リモコン受信非待機モードに設定し、前記記録媒体の記録残容量が所定値以上であると検出すると、前記リモコン撮影モードに切り替えることを特徴とする撮影装置。
【請求項９】
請求項１に記載の撮影装置において、
前記画像データ送信部は、前記外部表示装置と無線通信で接続可能で、該無線通信を用いて画像データを外部表示装置へ送信することを特徴とする撮影装置。
【請求項１０】
請求項９に記載されている撮影装置はさらに、
前記リモコン受信待機モードに設定が行われてから、または、前記リモコン信号受信部によりリモコン信号を受信してから次にリモコン信号を受信するまでの時間を測定する待機時間測定部を有し、
前記リモコン待機モード切り替え部は、前記リモコン受信待機モードにおいて、前記待機時間測定部により所定時間が測定されると、
前記リモコン受信非待機モードへ切り替えることを特徴とする撮影装置。
【請求項１１】
請求項４に記載されている撮影装置において、
前記待機時間測定部は、リモコン信号の受信によって開始された処理が終了してから前記所定時間の測定を開始することを特徴とする撮影装置。
【請求項１２】
請求項９〜１０のいずれかに記載の撮影装置はさらに、
前記リモコン受信待機モードは、前記リモコン信号受信部によるリモコン信号の受信を行い、当該受信したリモコン信号に応じて画像撮影処理を実行するリモコン撮影モードと、前記リモコン信号受信部によるリモコン信号の受信を行い当該受信したリモコン信号に応じて画像再生処理を実行するリモコン再生モードとを有し、
前記リモコン待機モード切り替え部は、リモコン撮影モードとリモコン再生モードと前記リモコン信号受信部によるリモコン信号の受信を行わないリモコン受信非待機モードとを切り替え、
前記リモコン待機モード切り替え部は、前記外部表示装置と無線通信により接続されていることを検出すると、前記リモコン再生モードに切り替えることを特徴とする撮影装置。
【発明の詳細な説明】
【技術分野】
【０００１】
本発明は、撮影装置のリモコン操作に関する。
【背景技術】
【０００２】
撮影装置の多くは、撮影した静止画像や動画像（以下、静止画像、動画像を総じて、「画像データ」とする。）を表示する画像再生機能を有している。通常、画像再生機能を起動させる場合、撮影装置に設けられた再生処理起動釦を操作していた。そして、撮影装置に設けられている操作釦やタッチパネルによって、静止画像のコマ送りや、動画像の再生・停止等の操作を行っていた。  
【０００３】
また、静止画像や動画像を記録または再生する際に、撮影装置内の操作部ではなくリモートコントローラ（以下、「リモコン」とする。）を用いることで、遠隔操作が行えるようになってきている。  
【０００４】
このようなリモコンでの操作を行う際には、常にリモコン信号を受信できるように、撮影装置の電源をＯＮにして、設定をリモコン待機モードにしなければならなかった。このリモコン待機モードでは、撮影装置のリモコン受信部に常に電力が供給されており、たとえリモコンが使用されていないときにも、電力を消費してしまうといった問題があった。
【０００５】
そこで、無駄な電力の消費を抑えるために、静止画像や動画像の記録時および再生時にリモコンが所定の時間内に使用されなければ、リモコン受信部への電源供給を停止する技術がある（後記の特許文献１）。
【特許文献１】特開平４−２９３３９４号公報
【発明の開示】
【発明が解決しようとする課題】
【０００６】
しかしながら、従来の技術では前述したリモコン操作を開始する前にリモコン信号を受信可能な状態に設定しなければならなく、その作業によってユーザーの手間が必要となる問題があった。  
【０００７】
本発明は、電力の消費を抑えつつリモコン操作における操作性が向上する撮影装置を提供することを目的とする。
【課題を解決するための手段】
【０００８】
上述した目的を達成するために、請求項１の発明は、外部からのリモコン信号を受信するリモコン信号受信部と、外部表示装置と通信し、画像データを送信する画像データ送信部と、前記リモコン信号受信部によるリモコン信号の受信が可能なリモコン受信待機モードと、前記リモコン信号受信部によるリモコン信号の受信を行わないリモコン受信非待機モードと、を切り替えるリモコン待機モード切り替え部とを有し、前記リモコン待機モード切り替え部は、前記外部表示装置と通信可能に接続されていることを検出すると、前記リモコン受信待機モードに切り替えることを特徴とする撮影装置である。
【０００９】
また請求項２の発明は、請求項１に記載の撮影装置において、前記画像データ送信部は、前記外部表示装置と通信ケーブルにて電気的に接続可能で、当該通信ケーブルを介して画像データを外部表示装置へ送信することを特徴とする撮影装置である。  
【００１０】
また請求項３の発明は、請求項１〜２のいずれかに記載されている撮影装置はさらに、前記リモコン受信待機モードに設定が行われてから、または、前記リモコン信号受信部によりリモコン信号を受信してから次にリモコン信号を受信するまでの時間を測定する待機時間測定部を有し、前記リモコン待機モード切り替え部は、前記リモコン受信待機モードにおいて、前記待機時間測定部により所定時間が測定されると、前記リモコン受信非待機モードへ切り替えることを特徴とする撮影装置である。
【００１１】
また請求項４の発明は、請求項３に記載されている撮影装置において、前記待機時間測定部は、リモコン信号の受信によって開始された処理が終了してから前記所定時間の測定を開始することを特徴とする撮影装置である。
【００１２】
また請求項５の発明は、請求項１〜４のいずれかに記載の撮影装置はさらに、前記リモコン受信待機モードは、前記リモコン信号受信部によるリモコン信号の受信を行い、当該受信したリモコン信号に応じて画像撮影処理を実行するリモコン撮影モードと、前記リモコン信号受信部によるリモコン信号の受信を行い当該受信したリモコン信号に応じて画像再生処理を実行するリモコン再生モードとを有し、前記リモコン待機モード切り替え部は、リモコン撮影モードとリモコン再生モードと前記リモコン信号受信部によるリモコン信号の受信を行わないリモコン受信非待機モードとを切り替え、前記リモコン待機モード切り替え部は、前記外部表示装置と通信ケーブルによって接続されていることを検出すると、前記リモコン再生モードに設定することを特徴とする撮影装置である。
【００１３】
また請求項６の発明は、請求項５に記載されている撮影装置はさらに、記録媒体を装着する記録媒体装着部と、前記撮影装置に対して光学ユニットを着脱できる光学ユニット着脱部と、を有しており、前記リモコン待機モード切り替え部は、前記光学ユニットが前記光学ユニット着脱部に装着されていないことを検出し、かつ、前記記録媒体に再生可能な画像データが記録されている場合には、前記外部表示装置と通信ケーブルによって接続されていることを検出すると、前記リモコン再生モードに設定し、前記記録媒体に前記再生可能な画像データが記録されていない場合には、前記リモコン受信非待機モードに設定し、前記光学ユニットが前記光学ユニット着脱部に装着されていることを検出すると、前記リモコン撮影モードに切り替えることを特徴とする撮影装置である。
【００１４】
また請求項７の発明は、請求項５に記載されている撮影装置はさらに、記録媒体を装着する記録媒体装着部と、被写体の光量を測定する測光部と、を有しており、前記リモコン待機モード切り替え部は、前記測光部で測定された光量が所定値未満であると検出し、かつ、前記記録媒体に再生可能な画像データが記録されている場合には、前記外部表示装置と通信ケーブルによって接続されていることを検出すると、前記リモコン再生モードに設定し、前記記録媒体に前記再生可能な画像データが記録されていない場合には、前記リモコン受信非待機モードに設定し、前記測光部で測定された光量が所定値以上であると検出すると、前記リモコン撮影モードに切り替えることを特徴とする撮影装置である。
【００１５】
また請求項８の発明は、請求項５に記載されている撮影装置はさらに、記録媒体を装着する記録媒体装着部と、を有しており、前記リモコン待機モード切り替え部が、前記記録媒体の記録残容量が所定値未満であると検出し、かつ、前記記録媒体に再生可能な画像データが記録されている場合には、前記外部表示装置と通信ケーブルによって接続されていることを検出すると、前記リモコン再生モードに設定し、前記記録媒体に前記再生可能な画像データが記録されていない場合には、前記リモコン受信非待機モードに設定し、前記記録媒体の記録残容量が所定値以上であると検出すると、前記リモコン撮影モードに切り替えることを特徴とする撮影装置である。
【発明の効果】
【００１６】
以上記述したように、本発明は電力の消費を抑えつつリモコン操作における操作性の向上化を行える撮影装置を提供することができる。
【発明を実施するための最良の形態】
【００１７】
以下、本発明による撮影装置について、図面を参照しながら詳細に説明する。
【００１８】
まず、本発明の実施形態として、本発明に関する撮影装置とその周辺機器の構成について述べる。図１は一眼レフレックスカメラ１を例とした本発明の実施形態とその周辺機器に関するブロック図である。  
【００１９】
図１に示した撮影装置２は電源部７、レリーズ釦８、選択釦や再生処理起動釦等を含む操作部９、撮像素子１０、被写体像の情報に対して画像補間処理やＡ／Ｄ変換等を行う画像処理部１１、被写体像を視認できる画像表示部１２、画像データを一時的に保存するＲＡＭ等の揮発性メモリ１３、記録媒体１５を着脱可能な記録媒体装着部１４、リモコン待機モード切り替え部１６、撮影装置２の処理を司る制御部１７、待機時間測定部１８、リモコン信号受信部１９、画像データ送信部２０、外部表示装置４と接続するための外部出力部２１、測光部２２、光学ユニット着脱部２３から構成される。
【００２０】
光学ユニット３は、レンズキャップ２５と複数枚のレンズから成るレンズユニット２４から構成される。図１に示す本実施の形態においては一眼レフレックスカメラ１を例としているため、光学ユニット３は撮影の条件やユーザーの趣向によって着脱交換可能なものとしているが、光学ユニット３と撮影装置２とが一体化されたものであってもよい。  
【００２１】
なお、本実施の形態において、外部出力部２１はケーブル端子を有し、撮影装置２は当該ケーブル端子に接続された通信ケーブル６により外部表示装置４と接続される。  
【００２２】
外部表示装置４は、記録媒体１５や揮発性メモリ１３に記録された画像データを表示するものであり、外部出力部２１のケーブル端子を介して通信ケーブル６によって撮影装置２と接続される。画像データは画像データ送信部２０によって外部出力部２１を介して外部表示装置４に転送され表示される。  
【００２３】
なお、外部表示装置４は、たとえばテレビ、パソコンディスプレイ等が挙げられる。またデジタルフォトフレームや携帯電話等の表示装置を有する携帯装置等でもよい。  
【００２４】
リモコン操作部２６とリモコン信号出力部２７から構成されるリモコン５は、撮影装置２を遠隔操作する際に用いられる。リモコン操作部２６を押圧等の操作をすることで、リモコン信号出力部２７からリモコン信号２８が出力される。撮影装置２が、出力されたリモコン信号２８を受信可能な状態に設定されている場合（この状態を「リモコン受信待機モード」とする。）、リモコン信号受信部１９によってリモコン信号２８が受信され、制御部１７に転送され、撮影装置２内の制御信号となる。なお、リモコン信号２８の受信を行わない状態を「リモコン受信非待機モード」とする。リモコン受信待機モードとリモコン非待機モードは、リモコン待機モード切り替え部１６によって切り替えられ、制御部１７によって撮影装置２の状態として設定することができる。  
【００２５】
リモコン信号２８は、撮影装置２内の操作部９からの信号と異なるものであることが判別できることが望ましい。赤外線通信等の無線式（ワイヤレス式）のリモコンは、撮影装置２の構造上これらの信号を判別することが容易である。ただ、無線式よりも信号の判別が困難な有線式のリモコンにおいても、撮影装置２内の信号と判別することができれば、本発明を適用することが可能である。  
【００２６】
リモコン信号２８によって操作できる処理は、再生処理と撮影処理があり、それぞれリモコン再生処理、リモコン撮影処理とし、この二つの処理を併せてリモコン操作とする。また、それぞれの処理を行える撮影装置２の状態をリモコン再生処理モード、リモコン撮影処理モード、リモコン操作モードとする。  
【００２７】
再生処理とは、撮影装置２を画像再生モードに設定したときに、静止画像のコマ送り、動画像の再生や停止等を行う処理である。通常は、撮影装置２に設けられている操作部９や不図示のタッチパネル式の釦等によって操作をすることができる。  
【００２８】
撮影処理とは、静止画像や動画像の撮影をする処理である。レリーズ釦８を操作することでレリーズ信号が制御部１７に送られ、撮影処理が開始される。まず、光学ユニット３を通して得られる被写体像が、レンズユニット２４後方に設置されているＣＣＤやＣＭＯＳ等の撮像素子１０上で結像させる。撮像素子１０から出力されるアナログ信号は、画像処理部１１内でＡ／Ｄ変換されてデジタル化される。さらに、色補間処理、階調補正等の画像処理が施され、その後、フォーマット処理が行われて、画像データとして記録媒体１５に保存される。
【００２９】
以上説明した構成の撮影装置とその周辺機器の動作について説明していく。本発明は、撮影装置が、ユーザーによりリモコン５で操作される可能性が高い状態となっていることを検出した際に、リモコン受信待機モードを起動するようにするものである。
【００３０】
ユーザーによりリモコン５で操作される可能性の高い状態とは、たとえば撮影した画像データを外部表示装置４に表示して、遠隔操作によって再生処理を行う状態が考えられる。たとえば、通信ケーブル６を介して外部表示装置４と接続した際に、撮影装置２を外部表示装置４付近に置き、ユーザーはそれらから離れた場所で、リモコン５を用いて再生操作をするような状態である。よって、本実施の形態における撮影装置では、撮影装置２と外部表示装置４とが接続されたことを検出した際には、リモコン受信待機モードに設定するものである。これにより、リモコン操作の操作性を向上させることが可能となる。  
【００３１】
図２のフローチャートに基づき、本実施の形態における撮影装置２の電源が入れられた時点から、リモコン操作モードを解除するまでの制御部１７により行われる処理の流れ（以後「リモコン操作フロー」と称する。）を説明する。  
【００３２】
ステップＳ０１において、電源部７の操作に応じて撮影装置２の電源がＯＮとなる。それに伴い、待機時間測定部１８によって待機時間の測定が開始され、ステップＳ０２に進む。  
【００３３】
ステップＳ０２において、記録媒体装着部１４に記録媒体１５が装着されているか否かが判別される。装着されていると判別された場合はステップＳ０３に進み、装着されていないと判別された場合はステップＳ０９に進む。なお、本実施の形態において記録媒体１５は、撮影装置２に着脱可能な不揮発性メモリを有するメモリーカードである。なお、記録媒体１５として、着脱不能な内蔵メモリであってもよい。この場合ステップＳ０２において肯定判定されステップＳ０３へ進む。  
【００３４】
ステップＳ０３において、光学ユニット３が光学着脱部２３を介して撮影装置２に装着されているかを制御部１７によって判別する。装着されていると判別された場合はステップＳ０４に進み、外されていると判別された場合はステップＳ０６に進む。なお、光学ユニット着脱部２３とは、たとえば、バヨネット式マウントである。  
【００３５】
ステップＳ０４では、測光部２２で測定した光量が所定値以上か否かが判別される。ステップＳ０４では、測光部２２で測光した光量が所定値以上の場合は、ステップＳ０５に進む。所定値未満の光量のみ検出された場合には、ステップＳ０６に進む。  
【００３６】
本実施の形態においては、測光部２２により検出された光量が所定値以上の場合はレンズキャップ２５が外されている状態であると判別し、当該光量が所定値未満の場合には、レンズキャップ２５が装着されている状態とみなす。  
【００３７】
なお、レンズキャップ２５の有無を検出する方法として、測光部２２での光量により判別する方法だけでなく、レンズキャップ２５の装着を直接検出するスイッチを光学ユニット３に設置し、当該スイッチの出力によりレンズキャップ２５の有無を検出してもよい。
【００３８】
ステップＳ０５では、記録媒体装着部１４に装着されている記録媒体１５の記録残容量を検出し、当該検出された記録残容量が所定値未満の場合ステップＳ０６に進み、当該検出された記録残容量が所定値以上の場合は、ステップＳ０７へ進み後述するリモコン撮影処理を実行し、当該リモコン撮影処理が終了すると本フローを終了する。  
【００３９】
本実施の形態においては、記録残容量が撮影処理を行ったとしても記録媒体１５に画像データを記録できない程度に少ない（所定値未満）場合は、画像を再生するために電源をＯＮしたと判断し、一方、記録残容量が所定値以上残っている、つまり撮影する画像データを保存できるほど十分に残っている場合には、画像を撮影するために電源をＯＮしたと判断する。  
【００４０】
ステップＳ０６では、記録媒体装着部１４に装着されている記録媒体１５に、再生可能な画像データが記録されているか否かが判別される。再生可能な画像データが記録されていない場合はステップＳ０９へ進み、再生可能な画像データが記録されている場合はステップＳ０８へ進み後述するリモコン再生処理を実行し、当該リモコン再生処理が終了すると本フローを終了する。なお、再生可能な画像データが保存されていない状態とは、たとえば再生可能な画像データ以外の情報が記録されている場合や画像データが破損していて再生することができない場合等である。  
【００４１】
ステップＳ０９では、リモコン非待機モードを設定するとともに本フローを終了する。
【００４２】
次に、制御部１７により行われるリモコン再生処理の流れを図３に示すフローチャートを用いて説明する。  
【００４３】
ステップＳ２１にて、外部出力部２１のケーブル端子を介して撮影装置２と外部表示装置４とが通信ケーブル６によって接続され、通信が可能であるか否かが判別される。通信が可能であれば、ステップＳ２２に進む。通信が可能でなければ、ステップＳ２９に進む。なお、通信ケーブル６とは、ビデオケーブル、ＨＤＭＩケーブル、ＵＳＢケーブル等である。  
【００４４】
なお、撮影装置２と外部表示装置４とが通信可能である状態として、外部出力部２１のケーブル端子の電気接点スイッチによって外部表示装置４と通信ケーブル６とが接続されているか否かを検出したり、外部出力部２１のケーブル端子に通信ケーブル６が接続されている状態をメカスイッチにより検出したりしてもよい。
【００４５】
ステップＳ２２では、操作部９に含まれる再生処理起動釦が操作されたか否かが判別される。操作された場合は、ステップＳ２４に進む。操作されなければステップＳ２３に進む。  
【００４６】
ステップＳ２３では、待機時間測定部１８で測定している待機時間が所定時間を経過したか否かが判別される。待機時間が所定時間を越えていると判定された場合はステップＳ２９に進む。一方、待機時間が所定時間を越えていないと判定された場合は、ステップＳ２２に進む。なお、ステップＳ２３における待機時間は再生処理起動釦が操作されない間の時間に相当する。
【００４７】
なお、ステップＳ２２にて再生処理起動釦の操作の有無を判別したが、ステップＳ２１にて肯定判定された場合には、ステップＳ２４に進むようにしてもよい。これは、撮像装置２と外部表示装置４とが通信可能な接続をされたことを検出したことで、ユーザーによりリモコン５で操作される可能性が高い状態であると判断することができ、ステップＳ２４〜２９で後述するリモコン再生の操作を自動的に可能とするようにしてもよい。
【００４８】
ステップＳ２４では、外部表示装置４に画像データを表示するとともに待機時間測定部１８による待機時間を一旦リセットし再度測定を開始し、ステップＳ２５へ進む。  
【００４９】
ステップＳ２５では、リモコン待機モード切り替え部１６によってリモコン再生モードに切り替え、制御部１７によって設定し、ステップＳ２６に進む。なおステップＳ２４以前のステップにおいては、たとえリモコン信号２８を受信しても操作を行わないリモコン受信非待機モードに設定されている。  
【００５０】
ステップＳ２６では、リモコン信号受信部１９にてリモコン信号２８を受信したか否かが判別される。リモコン信号２８を受信した場合は、待機時間を一旦リセットし、待機時間測定部１８による待機時間の測定を再度開始しステップＳ２７に進む。リモコン信号２８を受信しなければステップＳ２８に進む。  
【００５１】
ステップＳ２７では、リモコン信号２８の受信に応じて静止画像のコマ送りや動画像の再生や停止等の再生処理を実行する。リモコン再生モードでは、リモコン信号２８に応じた再生処理が可能である。  
【００５２】
リモコン再生モードでは、リモコン信号２８を受信するために、待機状態に設定しており、その待機状態を不用意に継続し続けると無駄な電力を消費してしまう。そこで、測定している待機時間に応じてリモコン再生モードを自動的に解除することで、消費電力を抑えることができる。  
【００５３】
ステップＳ２８では、待機時間測定部１８で測定している待機時間が所定時間を越えたか否かを判定する。待機時間が所定時間を越えていると判定された場合はステップＳ２９に進む。もし待機時間が所定時間を越えていないと判定された場合は、ステップＳ２６に戻る。  
【００５４】
上述のステップＳ２８における所定時間は、ユーザーが自由に設定することが可能である。なお、本実施の形態においては、所定時間は、リモコン待機モードに設定された時点、または、リモコン信号２８を受信した時点から次のリモコン信号２８を受信するまでの時間としている。  
【００５５】
ただ、所定時間をこのような設定にすると、動画像の再生時に不都合が生じる場合がある。たとえば、所定時間が再生する動画像データの再生時間よりも短い場合には、動画像データの再生が終了した時点で既にリモコン再生モードが解除されてしまう。この場合、ユーザーが再度リモコン５により操作をするためにはリモコン再生モードをユーザーが手動で再度設定する必要があり、操作性が悪い。  
【００５６】
そこで、ステップＳ２６で行う、待機時間のリセットおよび待機時間測定部１８による待機時間測定の開始を、ステップＳ２７での再生処理の後に実行するとしてもよい。この場合、所定時間より動画像データの再生時間が長い場合であっても、動画像データ再生終了後、所定時間の間はリモコン５による操作が可能となる。その結果、先述した操作性の煩雑さが解消され、かつ、リモコン受信待機モードを継続する時間を短くすることができ、消費電力を抑えることができる。  
【００５７】
ステップＳ２９では、リモコン再生モードを解除した後に、リモコン信号２８を用いないリモコン受信非待機モードに設定し、当該フローを終了する。  
【００５８】
次に制御部１７により行われるリモコン撮影処理フローを図４に示すフローチャートを用いて説明する。  
【００５９】
ステップＳ４１にて、リモコン撮影モードに設定すると共に待機時間測定部１８による待機時間を一旦リセットして再度測定を開始しステップＳ４２に進む。リモコン撮影モードでは、リモコン５による遠隔操作によって撮影処理を行う。主にこのモードは、記念写真等で撮影者が被写体となるときや、レリーズ釦８の操作時に生じる手ブレを軽減したいとき等に用いられる。  
【００６０】
ステップＳ４２では、リモコン信号受信部１９によってリモコン信号２８を受信したか否かが判別される。リモコン信号２８をリモコン信号受信部１９によって受信したと判別された場合は、待機時間をリセットし待機時間測定部１８による待機時間の測定を再度開始しステップＳ４４ａに進み、受信していないと判別された場合はステップＳ４３に進む。  
【００６１】
ステップＳ４４ａでは、撮影処理を実行した後にステップＳ４５に進む。撮影処理とは、静止画像や動画像を撮影する処理である。  
【００６２】
ステップＳ４３では、レリーズ釦８の操作に応じて出力されるレリーズ信号を検出する。レリーズ釦８からのレリーズ信号を検出すると、撮影処理のステップＳ４４ｂに進む。レリーズ信号が検出されなければ、ステップＳ４５に進む。  
【００６３】
ステップＳ４４ｂでは、撮影処理を実行した後にステップＳ４６のリモコン待機モード解除処理へ進む。  
【００６４】
ステップＳ４５では、待機時間測定部１８によって測定されている待機時間が所定時間を越えたか否かが判別される。待機時間が所定時間を越える場合はステップＳ４６のリモコン待機モード解除処理へ進み、待機時間が所定時間を越えていない場合はステップＳ４２戻る。  
【００６５】
なお、所定時間はリモコン再生モードと同様に、上記ステップＳ４２で行った、測定のリセットおよび待機時間の測定開始を、ステップＳ４４ａでのリモコン信号２８によって実行された撮影処理が終了した時に行うとしてもよい。これにより、動画像撮影後に所定時間の間はリモコン５を用いての操作が可能となり操作性が向上する。  
【００６６】
ステップＳ４６では、リモコン撮影モードを解除した後、リモコン信号２８を受信しないリモコン受信非待機モードに設定し、当該フローを終了する。  
【００６７】
なお、リモコン撮影モードを一旦解除すると、リモコン５を用いない通常の撮影モードとなる。よって、一旦リモコン操作モードを解除した後に、再度リモコン５を用いての撮影処理を行う場合は、ユーザーが手動でリモコンモードに設定する。
【００６８】
上述のごとく本実施の形態における撮影装置２では、ステップＳ２１にて、撮影装置２と外部表示装置４が接続されているか否かが判別され、外部表示装置４が接続されていると判別された場合はステップＳ２４〜２８でのリモコン待機モードで、リモコン操作可能な状態とすることができる。これによりユーザーは、撮影装置２と外部表示装置４を接続して外部表示装置４に画像データを表示する際に、煩雑なリモコン待機モードを手動で設定することなくリモコン操作が可能となる。また、ステップＳ２１において外部表示装置４が接続されていないと判別された場合は、ステップＳ２９により、電力を消費するリモコン待機モードを解除することにより、不用意な電力消費を抑えることが可能となる。
【００６９】
また、本実施の形態における撮影装置２では、リモコン待機モードを起動した際に、ステップＳ０４〜０６の判定により、リモコン操作モードとしてリモコン再生モードとするかリモコン撮影モードとするかを自動的に切り替えることが可能である。これによりユーザーはリモコン待機モードを手動で設定することも、また、リモコン５からの信号を受信した際にリモコン再生モードとして動作するか、リモコン撮影モードとして動作するかの選択も不要となる。
【００７０】
なお、ステップＳ２８とステップＳ４５におけるリモコン再生モードおよびリモコン撮影モードにおいて、設定可能な所定時間はユーザーが任意に設定することができる。または、複数の候補の時間（たとえば、１分、３分、５分、１０分等）内から、ユーザーが選択できるようにしてもよい。  
【００７１】
なお、リモコン撮影モードで設定可能な所定時間は１回目の撮影処理とそれ以降の撮影処理とで異なる時間に設定できるようにしてもよい。これは、１回目の撮影時では、撮影装置２の複数の設定を変更する等して、撮影処理を行うまでの準備に戸惑う可能性があるためである。２回目以降の撮影においては、その影響が軽減されることが想定されるため、設定する所定時間を１回目の撮影時よりも自動的に短くするようにしてもよい。  
【００７２】
リモコン再生モードにおいて設定できる所定時間と、リモコン撮影モードで設定できる所定時間は、同じ時間にしても各々設定できるようにしてもよい。
【００７３】
なお、上述した実施の形態では撮影装置２と外部表示装置４とが接続されているか否かを判定するために外部出力部２１のケーブル端子と外部表示装置４とが有線ケーブル（通信ケーブル６）で接続されているか否かを判定していたが、撮影装置２と外部表示装置４とが接続されているか否かを判定できればよいため、例えば、撮影装置２と外部表示装置４とが無線通信により接続している場合は、当該無線通信により撮影装置２と外部表示装置４とが接続されているか否かを判別するとしてもよい。この場合、例えば、外部出力部２１に無線通信部を備え、ステップＳ２１にて、撮影装置２と外部表示装置４とが外部出力部２１の無線通信部を介して無線通信で接続されているか否かを判別すればよい。
【００７４】
また、上述した実施の形態では、撮影装置２の電源が入れられた際に図２のフローを実行するとしたが、撮影装置２の設定や状態に変化があった場合に図２のリモコン操作に関するフローのステップＳ０２から実行するとしてもよい。  
【００７５】
撮影装置２の設定や状態に変化があった場合とは、例えば、制御部１７が外部出力部２１に外部表示装置４が接続されたと検出した場合や、制御部１７が光学ユニット着脱部２３に光学ユニット３が装着又は取り外されたと検出した場合、制御部１７が再生処理を行っている際にレンズキャップ２５が装着されたと検出した場合、制御部１７が記録媒体装着部１４に記録媒体１５が装着されたと検出した場合等である。  
【００７６】
また、上述した実施の形態では、一眼レフレックスカメラ１に本願発明を適用した例である。本願発明における撮影装置２は、これに限らず、光学ユニット３と撮影装置２が一体型のものでもよい。光学ユニット３と撮影装置２が一体型の撮影装置においては、図２のステップＳ０３の光学ユニット３の着脱の有無を判別するステップが不要であり、ステップＳ０４のレンズキャップ２５の有無を判別することができない。その場合は、ステップＳ０２にて記録媒体装着部１４に記録媒体１５が装着されているかを確認した後に、光学ユニット３が撮影待機状態に遷移しているかを確認する。光学ユニット３が撮影可能状態である場合は、ステップＳ０５に進む。一方、撮影を行うことができない撮影待機状態であれば、ステップＳ０６に進む。これにより、光学ユニット３と撮影装置２が一体型の撮影装置においても本願発明を適用することが可能である。
【００７７】
なお、上述の実施の形態では、撮像装置を例として記載したが、例えば画像を表示する画像表示装置に本発明を適用してもよい。この場合図２のフローにおいて、画像表示装置の電源を投入するとステップＳ０１に続いてステップＳ０６に移行するとすればよい。
【図面の簡単な説明】
【００７８】
【図１】本発明の実施形態に関わるブロック図である。
【図２】リモコン操作のフローチャートである。
【図３】リモコン再生処理のフローチャートである。
【図４】リモコン撮影処理のフローチャートである。
【符号の説明】
【００７９】
１.一眼レフレックスカメラ
２.撮影装置
３.光学ユニット
４.外部表示装置
５.リモコン
６.通信ケーブル
７.電源部
８.レリーズ釦
９.操作部
１０.撮像素子
１１.画像処理部
１２.画像表示部
１３.揮発性メモリ
１４.記録媒体装着部
１５.記録媒体
１６.リモコン待機モード切り替え部
１７.制御部
１８.待機時間測定部
１９.リモコン信号受信部
２０.画像データ送信部
２１.外部出力部
２２.測光部
２３.光学ユニット着脱部
２４.レンズユニット
２５.レンズキャップ
２６.リモコン操作部
２７.リモコン信号出力部
２８.リモコン信号
【図１】
0005760615.tif 000002
【図２】
0005760615.tif 000003
【図３】
0005760615.tif 000004
【図４】
0005760615.tif 000005